(57)【要約】【課題】横型，縦型の双方に対応でき、更に内機の追加或いは変更に対しても容易に対応できる。【解決手段】ケース本体底面１ａに内機を取付ける取付台２を３本平行に帯状に盛上げ形成した。中央の取付台２ａはケース本体底面１ａの中心線Ｍ上に配置すると共に他の２本の取付台２ｂ，２ｃは該中央の取付台２ａを挟んで同一の間隔で配置し、各取付台２ａ、２ｂ，２ｃの上面に同一間隔でねじ孔５を設けた。ねじ孔５は各取付台２に対して幅方向に一列に配置形成してねじ孔の組を形成した。そして、取付台２間に機器を組付ける内機取付ベース３を架け渡して前記ねじ孔５の組の少なくとも２つのねじ孔５を選択して装着し、内機取付ベース３を介して内機をケース本体１に組付けた。【選択図】　図１
2004007860.tif 000002
【特許請求の範囲】
【請求項１】
配線を挿通するための開口部を有するケース本体に内機を組付けて分電盤を形成する住宅用分電盤の内機取付構造であって、
前記ケース本体底面に内機を取付けるための帯状の取付台を３本平行に盛上げ形成し、中央の取付台はケース本体底面の中心線上に配置すると共に他の２本は該中央の取付台を挟んで同一の間隔で配置し、前記取付台間に内機を組付ける棒状の内機取付ベースを少なくとも１組架け渡して配置し、該内機取付ベースを介して内機をケース本体に組付けることを特徴とする住宅用分電盤の内機取付構造。
【請求項２】
各取付台の上面に、取付台相互間で整列配置するようにねじ孔を複数形成し、前記ねじ孔に内機取付ベースをねじ止めして取付台間に架け渡して配置する請求項１記載の住宅用分電盤の内機取付構造。
【請求項３】
内機取付ベースは、取付台間に装着した際に取付台に平行する方向に配線挿通のための挿通空間が形成されて成る請求項１又は２記載の住宅用分電盤の内機取付構造。
【請求項４】
取付台に形成したねじ孔に隣接するケース本体底面に、内機取付ベースを位置決めする位置決め手段を設けてなる請求項１乃至３の何れかに記載の住宅用分電盤の内機取付構造。
【発明の詳細な説明】
【０００１】
【発明の属する技術分野】
本発明は、住宅やアパート等に使用される住宅用分電盤に関し、詳しくは住宅用分電盤の内機取付構造の改良に関する。
【０００２】
【従来の技術】
従来の住宅用分電盤のブレーカや導体バー等の内機を取付ける内機取付構造は、図５に示す構成のものや特開２００１−１５７３２９号公報に開示された構成が知られている。図５（ａ）は分電盤ケースを形成するケース本体２１の正面図、図５（ｂ）はそのＢ−Ｂ線断面図を示し、２２は四角柱状に突出形成して中央にねじ孔を有する内機取付部、２３は配線用開口部である。内機取付部２２はケース本体２１ａに複数ヶ所設けられ、ケース本体２１に一体に形成されている。そして、図７の内機を取付けた正面図に示すように、主幹ブレーカ２４、分岐ブレーカ２５等の内機が内機取付部２２を介してケース本体２１に組付けられている。
【０００３】
また、特開２００１−１５７３２９号公報に開示された住宅用分電盤の場合、ケース本体に設けられた配線挿通孔の上下に分岐ブレーカのピッチで取付孔の列が形成され、内機取付台をその取付孔に取付けて機器を組付ける構成となっている。
【０００４】
【発明が解決しようとする課題】
しかし、上記図５に示す構成の場合は、ケース本体２１を縦型と横型を共用しようとした場合、内機取付部２２を双方の向きに対して良好な位置に配置することが難しかった。特に図７に示すように電流制限器を組付けるリミッター木板２６のように内機取付部２２を介さず直接ケース本体底面２１ａに取付ける内機は、その取付位置が内機取付部２２により制限されてしまうため、内機取付部２２のいくつかを切除して対応する場合も生じ、共用することが難しかった。
また、特開２００１−１５７３２９号公報の構成は、例えば分岐回路数を増やす場合或いは回路構成を変更する場合、内機取付台を追加或いは変更する必要があるため、簡単に内機を増やしたり変更したりできなかった。
【０００５】
そこで、本発明は上記問題点に鑑み、横型，縦型の双方に対応でき、更に内機の追加或いは変更に対しても容易に対応できる住宅用分電盤の内機取付構造を提供することを目的とする。
【０００６】
【課題を解決するための手段】
上記課題を解決するため、請求項１の発明は、配線を挿通するための開口部を有するケース本体に内機を組付けて分電盤を形成する住宅用分電盤の内機取付構造であって、前記ケース本体底面に内機を取付けるための帯状の取付台を３本平行に盛上げ形成し、中央の取付台はケース本体底面の中心線上に配置すると共に他の２本は該中央の取付台を挟んで同一の間隔で配置し、前記取付台間に内機を組付ける棒状の内機取付ベースを少なくとも１組架け渡して配置し、該内機取付ベースを介して内機をケース本体に組付けることを特徴とする。
【０００７】
請求項２の発明は、請求項１の発明において、各取付台の上面に、取付台相互間で整列配置するようにねじ孔を複数形成し、前記ねじ孔に内機取付ベースをねじ止めして取付台間に架け渡して配置することを特徴とする。
【０００８】
請求項３の発明は、請求項１又は２の発明において、内機取付ベースは、取付台間に装着した際に取付台に平行する方向に配線挿通のための挿通空間が形成されて成ることを特徴とする。
【０００９】
請求項４の発明は、請求項１乃至３の何れかの発明において、取付台に形成したねじ孔に隣接するケース本体底面に、内機取付ベースを位置決めする位置決め手段を設けてなることを特徴とする。
【００１０】
【発明の実施の形態】
以下、本発明を具体化した実施の形態を、図面に基づいて詳細に説明する。図１は本発明に係る住宅用分電盤の内機取付構造の実施形態の一例を示し、（ａ）は分電盤ケース本体の正面図、（ｂ）はそのＡ−Ａ線断面図を示している。また、図２は図１の底部構造の説明図で、内機取付ベースを分離した状態を示している。
図において、１はケース本体、２は内機を取付ける取付台、３は内機取付ベースであり、ケース本体１は分電盤への配線を挿通する複数の開口部４が大きく形成された略四角形の底面１ａとその４辺に周設されて図示しない蓋板の装着を可能とする側板１ｂとで構成され、住宅用分電盤ケースの一部を構成している。
【００１１】
取付台２は底面１ａを帯状に盛上げて形成され、ケース本体１の長手方向に３本形成されている。中央の取付台２ａは底面１ａの中心線Ｍ上に配置され、他の２本２ｂ，２ｃは中央の取付台２ａを挟んで同一の間隔で、且つ上面が同一の高さになるよう形成されている。但し、各取付台２ａ〜２ｃは開口部４により夫々複数に分断されて形成されている。
そして、取付台２の上面となる内機取付面には所定間隔で複数のねじ孔５が形成され、夫々のねじ孔５は各取付台２ａ〜２ｃに対して幅方向に一列に整列配置して形成され、ねじ孔５の組を形成している。また、６は位置決め手段としての突起であり、取付台２のねじ孔５に隣接するケース本体底面１ａに設けられている。
【００１２】
内機取付ベース３は、図２に示すように略四角柱の棒形状で長ベース３ａと短ベース３ｂの２種類の長さで樹脂成形により形成され、長ベース３ａは長手方向前後端部及び中央に取付台への連結部７が設けられ、中央の取付台２ａを跨いで左右両端の取付台２ｂ，２ｃ間に架け渡して装着される。また、短ベース３ｂは長手方向前後端部に取付台への連結部７を有し、中央の取付台２ａと左右の取付台２ｂ，２ｃの何れか一方の間に装着される。
【００１３】
内機取付ベース３の連結部７はねじ挿通孔で形成され、取付台２のねじ孔５の中の１組を選択してネジ止めされる。また、連結部７に隣接する内機取付ベース３上面には内機を連結してケース本体１に組付ける内機連結部８が設けられ、ねじ孔が形成されている。
また、各連結部７間にはＵ字状の切り欠き９が取付台に平行に形成され、内機取付ベース３を取付台２の間を塞ぐように装着しても、内機取付ベースを跨いで配線を挿通可能な挿通空間を有するよう形成しているし、ケース本体底面１ａに接する下面には、図１（ｂ）に示すように突起６に対応する凹部１０が設けられ、突起６と凹部１０を合わせることで内機取付ベース３の位置決めを容易にし、ねじ止めし易くしている。
尚、図１ではこれら内機取付ベース３はケース本体１の底面１ａの３ヶ所装着しているが、内機の種類や形状に応じて適宜位置に必要数装着される。
【００１４】
図３は縦に配置して内機を組付けたケース本体１の正面図を示している。図示するように１組の長ベース３ａ上にブレーカ装着板１１を組付けてブレーカ１２及び導体バーを組付け、短ベース１ｂと一方の長ベース１ａを利用して主幹ブレーカ１４が組付けられている。
このように、内機取付ベースはねじ孔の何れか１組を選択して装着するので、選択するねじ孔の組を変更することで、装着位置を任意に変更できる。従って、多種類の内機の組付けに容易に対応できるし、内機の変更や増設に対しても内機取付ベースを移動して対応することが可能で、柔軟に対応できる。
また、取付台が補強リブとして作用するので、ケース本体を堅牢な構造にできるし、内機取付ベースを取付台間に渡して配置することで、更に堅牢な構造にできる。
【００１５】
また、１５は電流制限器を装着するためのリミッター木板を示し、リミッター木板１５は、中央の取付台２ａに沿って直接ケース本体１に取付けられている。尚、ケース本体１の所定位置にはリミッター木板を連結するためのねじ孔が設けられている。
このように、内機取付ベースをケース本体内に配置しなければケース本体内に大きく突出した部位が無くなるので、リミッター木板等の内機取付板の取付け場所に自由度が有り、ケース本体を縦型或いは横型に配置しても、双方に対して容易に対応させて取付けることができる。
また、中央の取付台は中心線上に配置されるので、内機取付ベース等の位置決めをその取付台を利用することで容易に実施でき、取付台を設けることで専用の部材を用いることなくリミッター木板を容易に取付けることができる。
更に、図４はモデムやハブ等の情報機器を組付けるための情報盤ベース１６を示しているが、このような比較的大きな内機取付板であっても、取付台のねじ孔を利用して容易に装着でき、そうすることで情報機器の組付けも容易に実施できる。
【００１６】
尚、配線挿通用の挿通溝は内機取付ベースの機器装着面にＵ字状に形成されているが、反対側のケース本体当接面側に形成しても良いし、Ｕ字状でなくとも良い。また、リミッター木板や情報盤ベース等の内機取付板は何れも内機取付ベースを介さず装着されているが、内機取付ベースを介して装着しても良い。
【００１７】
【発明の効果】
以上詳述したように、請求項１の発明によれば、内機取付ベースを介して内機をケース本体に取付けるため、内機取付ベースをケース本体内に配置しなければケース本体内に大きく突出した部位が無くなるので、リミッター木板等の内機取付板の取付け場所に自由度が有り、ケース本体を縦型或いは横型に配置しても、双方に対して容易に対応させて取付けることができる。
また、中央の取付台は中心線上に配置されるので、内機取付ベース等の位置決めをその取付台を利用することで容易に実施でき、取付台を設けることで専用の部材を用いることなくリミッター木板を容易に取付けることができる。
更に、取付台が補強リブとして作用するので、ケース本体を堅牢な構造にできるし、内機取付ベースを取付台間に渡して配置することで、更に堅牢な構造にできる。
【００１８】
請求項２の発明によれば、請求項１の効果に加えて、内機取付ベースはねじ孔の何れか１組を選択して装着するので、選択するねじ孔の組を変更することで、装着位置を任意に変更できる。従って、多種類の機器の組付けに容易に対応できるし、内機の変更や増設に対しても内機取付ベースを移動して対応することが可能で、柔軟に対応できる。
また、取付台のねじ孔を情報機器を組付けるための木製ベース板をネジ止めする際にも使用可能であり、そうすることで情報機器を組付けることができる。
【００１９】
請求項３の発明によれば、請求項１又は２の効果に加えて、取付台間に内機取付ベースが配置されても、内機取付ベースを跨いで配線を挿通することができ、配線スペースが制限されることがない。
【００２０】
請求項４の発明によれば、請求項１乃至３の何れかの効果に加えて、内機取付ベースを容易に位置決めできるので、装着作業が容易である。
【図面の簡単な説明】
【図１】本発明の実施形態の一例を示し、住宅用分電盤の内機取付構造の説明図であり、（ａ）は分電盤本体ケースの正面図、（ｂ）はそのＡ−Ａ線断面説明図である。
【図２】図１の底部を抜き出した斜視説明図であり、内機取付ベースを分離した図である。
【図３】図１の本体ケースに機器を組付けた正面図である。
【図４】情報機器組付け用のベース板である。
【図５】従来の住宅用分電盤の内機取付構造を示し、（ａ）はケース本体の正面図、（ｂ）はＢ−Ｂ線断面図である。
【図６】図５のケース本体に機器を組付けた状態の正面図である。
【符号の説明】
１・・ケース本体、１ａ・・底面、２（２ａ，２ｂ、２ｃ）・・取付台、３，３ａ，３ｂ・・内機取付ベース、４・・開口部、５・・ねじ孔、６・・位置決め手段としての突起、７・・連結部、８・・内機連結部、９・・配線挿通空間としての切り欠き、１０・・凹部。
【図１】
2004007860.tif 000003
【図２】
2004007860.tif 000004
【図３】
2004007860.tif 000005
【図４】
2004007860.tif 000006
【図５】
2004007860.tif 000007
【図６】
2004007860.tif 000008